(57)【特許請求の範囲】
【請求項１】
内蔵されたスピーカの発生音を端末側面まで導く音孔を備え、
主表示画面側を端末前方側とした際に、前記音孔の出口付近において、前記音孔よりも端末後方側の筐体部分が、端末前方側の筐体部分よりも横方向に突出している形状に加工されていることを特徴とする携帯端末装置。
【請求項２】
請求項１記載の携帯端末装置において、
前記音孔よりも端末後方側の筐体部分が、端末前方側の筐体部分よりも横方向に突出している部分における、横方向に突出している端末後方側の筐体部分の前記音孔側の面と、前記音孔の出口よりも内側の端末後方側の筐体部分の音孔に接する面とが互いに略水平であることを特徴とする携帯端末装置。
【請求項３】
請求項１または２記載の携帯端末装置において、
前記音孔よりも端末後方側の筐体部分に凸部が形成されていることを特徴とする携帯端末装置。
【請求項４】
請求項１乃至３記載の携帯端末装置において、
前記音孔よりも端末後方側の筐体部分に傾斜部が形成されていることを特徴とする携帯端末装置。
【請求項５】
請求項１または２記載の携帯端末装置において、
前記音孔よりも端末前方側の筐体部分に切欠き部が形成されていることを特徴とする携帯端末装置。
【請求項６】
内蔵されたスピーカの発生音を端末側面まで導く音孔を備え、
主表示画面側を端末前方側とした際に、前記音孔の出口付近において、前記音孔よりも端末後方側の筐体部分が、端末前方側の筐体部分よりも横方向に突出している形状に加工されていることを特徴とする携帯端末装置用筐体。
【請求項７】
請求項６記載の携帯端末装置用筐体において、
前記音孔よりも端末後方側の筐体部分が、端末前方側の筐体部分よりも横方向に突出している部分における、横方向に突出している端末後方側の筐体部分の前記音孔側の面と、前記音孔の出口よりも内側の端末後方側の筐体部分の音孔に接する面とが互いに略水平であることを特徴とする携帯端末装置用筐体。
【発明の詳細な説明】
【技術分野】
【０００１】
本発明は、筐体の側面にスピーカ音孔が設けられ、筐体の前面に主表示部が設けられた携帯電話端末装置などの携帯端末装置に関し、特に、主表示部が設けられている端末前方方向への音圧指向性を向上させる技術に関する。
【背景技術】
【０００２】
近年、筐体内部に１個乃至２個のスピーカを収容すると共に、筐体前面にＬＣＤから構成される主表示部を備えた携帯電話端末装置が多く利用されるようになってきている。このような携帯電話端末装置においては、スピーカからの発生音を筐体外部に導くためのスピーカ音孔が設けられるが、スペース的な制限などにより、筐体の背面や側面に設けられることが多い（例えば、特許文献１、２参照）。【０００３】
特許文献１に記載されている従来の携帯電話端末装置は、筐体前面に主表示部が設けられ、筐体背面にスピーカ音孔が設けられている。更に、筐体背面には、スピーカ音孔を覆うように放出音制御部材が配置され、放出音制御部材には、スピーカの発生音を筐体上面方向に放出するための開口部が形成されている。このような構成を有することにより、シャツの胸ポケットに入れた携帯電話端末装置に着信があった場合、スピーカから発せられる着信音をユーザが容易に聞き取ることが可能になる。【０００４】
また、特許文献２に記載されている従来の携帯電話端末装置は、スピーカ音孔を筐体側面に配置、両者の距離を離すことにより、ステレオ効果を向上させるようにしている。図１は、特許文献２に記載されているような、スピーカ音孔が筐体側面に設けられた従来の携帯電話端末装置の構成例を示す図であり、同図（Ａ）、（Ｂ）、（Ｃ）は携帯電話端末装置の正面図、側面図、背面図である。【０００５】
図１（Ａ）を参照すると、従来の携帯電話端末装置は、第１の筐体１と、第２の筐体２とを備えており、第１の筐体１と第２の筐体２は、ヒンジ部３により回転可能に連結されている。【０００６】
第１の筐体１の前面には、受話部１０１と、ＬＣＤにより構成される主表示部１０２とが設けられ、筐体１の内部には、２個のスピーカ１０３、１０４が収容されている。また、第２の筐体２の前面には、テンキーなどを含むキー操作部２１と、送話部２２とが設けられている。【０００７】
図１（Ｂ）を参照すると、第１の筐体１の側面には、スピーカ１０３の発生音を筐体外部に導くための３個のスピーカ音孔１０５〜１０７が設けられている。同図（Ｂ）に示した例では、スピーカ音孔１０５〜１０７は、側面の中心部よりも背面側（リア側）に設けられている。尚、同図（Ｂ）には図示されていないが、スピーカ音孔１０５〜１０７が設けられている面と対向する面には、スピーカ１０４の発生音を筐体外部に導くためのスピーカ音孔が設けられている。【０００８】
図１（Ｃ）を参照すると、第１の筐体１の背面には、ＬＣＤによって構成された副表示部１０８が設けられている。【０００９】
図２は、図１（Ａ）のａ−ａ’部分の断面形状を示す断面図である。同図を参照すると、スピーカ１０３は筐体１の裏面に固定されており、スピーカ１０３の発生音は、音孔１０６を介して筐体１の外部に導かれる。尚、図２においては、基板や電子部品は図示を省略している。
【特許文献１】特開２００２−３４４６０２号公報
【特許文献２】特開２００６−１５７４６４号公報
【発明の開示】
【発明が解決しようとする課題】
【００１０】
ところで、近年の携帯電話端末装置には、本来の通話機能だけでなく、種々の機能が付加されており、例えば、テレビ電話機能やテレビ受信機能などのように、主表示部に表示されている画像を見ながらスピーカから出力される音声を聴取するような機能も付加されている。【００１１】
テレビ電話機能などを利用して画像を見ながらスピーカの発生音を聴取する場合、筐体の前面方向（フロント方向）への音圧を高く保つことが重要になるが、上述した特許文献１、２に記載されている従来の携帯電話端末装置では、このような点は全く考慮されていない。【００１２】
特許文献１に記載されている従来の携帯電話端末装置では、筐体背面にスピーカ音孔を覆う放出音制御部材を配置し、且つ放出音制御部材にスピーカの発生音を筐体上面方向に放出するための開口部を形成しているので、筐体上面方向への音圧を高めることはできるが、筐体前面方向（端末前方方向）への音圧を高めることはできない。【００１３】
また、特許文献２に記載されている従来の携帯電話端末装置では、スピーカ音孔が筐体側面に設けられているため、ステレオ効果を高めることはできるが、筐体前面方向への音圧を高めることはできない。図３は、図１及び図２のように筐体側面のリア側にスピーカ音孔１０５〜１０７を配置した携帯電話端末装置の音圧指向性特性のシミュレーション結果を示す図であり、同図（Ａ）、（Ｂ）、（Ｃ）、（Ｄ）はそれぞれ周波数１kHz、２kHz、５kHz、１０kHzにおける音圧指向性特性のシミュレーション結果を示している。尚、シミュレーションは、次の条件で行った。筐体１、２の長さ、幅、厚さをそれぞれ１０cm、５cm、１cmとする。音孔面積を１５mm2、音孔長を１mmとし、音孔端に粒子速度１m/secを境界条件として与える。筐体１の長さ方向の中心軸を中心にして回転させ、距離１０cmでの音圧をシミュレーションする。【００１４】
図３（Ａ）に示すように、低域の周波数１kHzにおいては音圧指向性に偏りはほとんど生じないが、周波数２kHz以上の高域においては、音圧指向性に大きな偏りが生じる。周波数２kHzにおいては同図（Ｂ）に示すように、筐体１のリア方向より、フロント方向での音圧が低下している。また、周波数５kHz、１０kHzにおいては同図（Ｃ）、（Ｄ）に示すように、サイド方向へも音圧指向性が広がり、ますますフロント側での音圧が低下している。【００１５】
そこで、本発明の目的は、端末側面にスピーカ音孔が設けられた携帯端末装置において、端末前方方向への音圧を高めることにある。
【課題を解決するための手段】
【００１６】
本発明にかかる第１の携帯端末装置は、
内蔵されたスピーカの発生音を端末側面まで導く音孔の出口付近の筐体部分が、端末前方方向への音圧を高める形状に加工されていることを特徴とする。【００１７】
本発明にかかる第２の携帯端末装置は、第１の携帯端末装置において、
前記音孔よりも端末後方側の筐体部分が、端末前方側の筐体部分よりも横方向に突出していることを特徴とする。【００１８】
本発明にかかる第３の携帯端末装置は、第２の携帯端末装置において、
前記音孔よりも端末後方側の筐体部分に凸部が形成されていることを特徴とする。【００１９】
本発明にかかる第４の携帯端末装置は、第２または第３の携帯端末装置において、
前記音孔よりも端末後方側の筐体部分に傾斜部が形成されていることを特徴とする。【００２０】
本発明にかかる第５の携帯端末装置は、第１または第２の携帯端末装置において、
前記音孔よりも端末前方側の筐体部分に切欠き部が形成されていることを特徴とする。【００２１】
本発明にかかる第１の携帯端末装置用筐体は、
内蔵されたスピーカの発生音を端末側面まで導く音孔の出口付近の筐体部分が、端末前方方向への音圧を高める形状に加工されていることを特徴とする。【００２２】
本発明にかかる第２の携帯端末装置用筐体は、第１の携帯端末装置用筐体において、
前記音孔よりも端末後方側の筐体部分が、端末前方側の筐体部分よりも横方向に突出していることを特徴とする。【００２３】
〔作用〕
スピーカの発生音は、音孔により端末側面まで導かれ、外部に放射される。音孔の出口付近の筐体部分は、端末前方方向への音圧を高める形状に加工されているので、端末前方への音圧が高まる。その結果、端末前方側に配置されている主表示部に表示されている画像を見ながらスピーカの発生音を聴取するような場合、スピーカの発生音が聞き取りやすくなる。【００２４】
端末前方方向への音圧を高めるための形状としては、例えば、音孔よりも端末後方側の筐体部分が、端末前方側の筐体部分より横方向に突出した形状とすることができる。
【発明の効果】
【００２５】
本発明によれば、側面に音孔を備えた携帯端末装置において、端末前方方向への音圧を高めることができるという効果を得ることができる。その結果、端末前方に配置されている主表示部に表示されている画像を見ながら音声を聴取する際、音声が聞き取りやすくなる。その理由は、音孔の出口付近の筐体部分が、端末前方方向への音圧を高める形状に加工されているからである。
【発明を実施するための最良の形態】
【００２６】
次に、発明を実施するための最良の形態について図面を参照して詳細に説明する。【００２７】
〔第１の実施の形態〕
次に、本発明にかかる携帯電話端末装置の第１の実施の形態について説明する。本実施の形態は、携帯電話端末装置の前方方向への音圧を高めるために、端末側面のスピーカ音孔よりもリア側に凸部を設けたことを特徴とする。【００２８】
図４は本発明にかかる携帯電話端末装置の第１の実施の形態の構成例を示す図であり、同図（Ａ）、（Ｂ）、（Ｃ）はそれぞれ携帯電話端末装置の正面図、側面図、背面図である。また、図５は、図４（Ａ）におけるａ−ａ’部分の断面形状を示す断面図である。尚、図４及び図５において、図１及び図２と同一部分には、同一符号を付している。【００２９】
図４及び図５を参照すると、筐体１には電磁駆動方式、動電駆動方式、静電駆動方式または圧電駆動方式のスピーカ１０３、１０４が内蔵されており、筐体１の右側面には、スピーカ１０３の発生音を筐体１の外部に導くための３個のスピーカ音孔１０５〜１０７が設けられている。このスピーカ音孔１０５〜１０７よりも端末後方側の筐体部分には、横方向に突出した凸部１０９が形成されている。凸部１０９の横方向の長さは、例えば、２mm程度とすることができ、縦方向の長さはスピーカ音孔１０５〜１０７の配置部分の長さと同程度とすることができる。尚、凸部１０９の縦方向の長さは、スピーカ音孔１０５〜１０７の配置部分の長さよりも長くしても構わない。また、図４及び図５では図示していないが、筐体１の左側面にも、３個のスピーカ音孔が設けられており、このスピーカ音孔よりも端末後方側の筐体部分には、凸部１０９と同一形状の凸部１１０が形成されている。【００３０】
凸部１０９、１１０は、スピーカ音孔１０５〜１０７から放射される音の、筐体後方側への進行を妨げる音響的バリアとして作用する。この結果、筐体後方側への音圧が弱められ、筐体前方側への音圧が高められる。【００３１】
図６は、本実施の形態にかかる携帯電話端末装置の音圧指向性特性のシミュレーション結果を示す図である。同図（Ａ）、（Ｂ）、（Ｃ）、（Ｄ）はそれぞれ周波数１kHz、２kHz、５kHz、１０kHzにおける音圧指向性特性のシミュレーション結果を示している。尚、シミュレーションを行う際、凸部１０９、１１０の横方向および縦方向の長さをそれぞれ２mm、２５mmとし、他の条件は、従来の携帯電話端末装置のシミュレーション時と同一にした。【００３２】
周波数１kHzでは、音波の波長が長いため、顕著な効果はないが、０.５dB程度、フロント方向への音圧が高まった。また、周波数２kHz、５kHz、１０kHzでは、２dB〜３dB程度、フロント方向への音圧が高まった。【００３３】
〔第１の実施の形態の効果〕
本実施の形態によれば、端末前方方向への音圧を高めることができるという効果を得ることができる。その結果、端末前方に配置されている主表示部１０２に表示されている画像を見ながら音声を聴取する際、音声を聞き取りやすくすることができる。その理由は、スピーカ音孔１０５〜１０７よりも端末後方側の筐体部分に凸部１０９、１１０が形成されているからである。【００３４】
〔第２の実施の形態〕
次に、本発明にかかる携帯電話端末装置の第２の実施の形態について説明する。本実施の形態は、スピーカ音孔の出口がフロント方向に傾き、スピーカ音孔よりもリア側の筐体部分が、フロント側の筐体部分より横方向に突出していることを特徴とする。【００３５】
図７は、本実施の形態の携帯電話端末装置の断面形状を示す断面図であり、図４（Ａ）のａ−ａ’部分に対応する部分の断面形状を示している。【００３６】
図７を参照すると、筐体１の右側面の背面に近い部分は、フロント側に傾斜しており、この傾斜部分１１１にスピーカ１０３の発生音を外部に導くためのスピーカ音孔１０６が設けられている。この結果、スピーカ音孔１０６よりもリア側の筐体部分が、フロント側の筐体部分１１２よりも横方向に突出した凸部１０９ａを形成することになる。この凸部１０９ａの先端部分は、フロント側に傾斜した形状となる。尚、傾斜部分１１１の角度は、例えばフロント側に対して例えば３０度程度とすることができる。また、凸部１０９ａの横方向および縦方向の長さは、第１の実施の形態における凸部１０９と同程度とすることができる。尚、図７では、図示されていないが、筐体１の左側面にも凸部１０９ａ、傾斜部１１１と同様の形状の凸部および傾斜部が設けられている。以上の点以外は、第１の実施の形態と同様である。【００３７】
凸部１０９ａは、凸部１０９と同様に音響的バリアとして機能し、スピーカ音孔１０６から放射される音のリア方向への進行を抑制することにより、フロント側の音圧を高める。【００３８】
図８は、本実施の形態にかかる携帯電話端末装置の音圧指向性特性のシミュレーション結果を示す図である。同図（Ａ）、（Ｂ）、（Ｃ）、（Ｄ）はそれぞれ周波数１kHz、２kHz、５kHz、１０kHzにおける音圧指向性特性のシミュレーション結果を示している。尚、シミュレーションを行う際、傾斜部分１１１の角度を３０度、凸部１０９ａの横方向および縦方向の長さをそれぞれ２mm、２５mmとし、他の条件は、従来の携帯電話端末装置のシミュレーション時と同一にした。本実施の形態においても、第１の実施の形態と同様に、周波数２kHz以上の高域において、２dB〜３dB程度、フロント方向の音圧が向上した。
【００３９】
〔第２の実施の形態の効果〕
本実施の形態によれば、端末前方方向への音圧を高めることができるという効果を得ることができる。その結果、端末前方に配置されている主表示部１０２に表示されている画像を見ながら音声を聴取する際、音声を聞き取りやすくすることができる。その理由は、スピーカ音孔１０６よりも端末後方側の筐体部分に凸部１０９ａが形成されているからである。【００４０】
〔第３の実施の形態〕
次に、本発明にかかる携帯電話端末装置の第３の実施の形態について説明する。本実施の形態は、スピーカ音孔よりも端末前方側の筐体部分に切欠きを設けたことを特徴とする。【００４１】
図９は、本実施の形態の携帯電話端末装置の断面形状を示す断面図であり、図４（Ａ）のａ−ａ’部分に対応する部分の断面形状を示している。【００４２】
図９を参照すると、筐体１の右側面には、スピーカ１０３の発生音を、筐体１の外部に導くためのスピーカ音孔１０６が設けられており、このスピーカ音孔１０６よりもリア側の筐体部分は、フロント側よりも横方向に突出した凸部１０９に加工されている。また、スピーカ音孔１０６よりもフロント側の筐体部分には切欠き部１１３が形成されている。この切欠き部１１３は、スピーカ音孔１０６の径を、出口に近づくほど大きくするようになっており、フロント方向に音が伝わりやすくする。尚、図９では図示されていないが、筐体１の左側面の構成も右側面と同じである。上記した点以外は、第１の実施の形態の同様である。【００４３】
凸部１０９は音響的バリアとして作用し、切欠き部１１３は音を携帯電話端末装置のフロント方向に伝わりやすくするため、フロント方向への音圧を高めることが可能になる。尚、凸部１０９を設けることなく、切欠き部１１３を設けるだけでも、従来の携帯電話端末装置に比較して、フロント方向への音圧を高めることができる。【００４４】
尚、上述した第１〜第３の実施の形態では、折りたたみ形状構造を有する携帯電話端末装置に本発明を適用した場合について説明したが、キャンディーバー形状構造や、スライド形状構造を有する携帯電話端末装置にも本発明を適用できることは勿論である。また、上述した各実施の形態では、スピーカ音孔を筐体側面の中心部分よりもリア側に設けるようにしたが、フロント側に設けるようにしても良い。【００４５】
〔第３の実施の形態の効果〕
本実施の形態によれば、端末前方方向への音圧を高めることができるという効果を得ることができる。その結果、端末前方に配置されている主表示部１０２に表示されている画像を見ながら音声を聴取する際、音声が聞き取りやすくなる。その理由は、スピーカ音孔１０６よりも端末後方側の筐体部分に凸部１０９が形成され、且つスピーカ音孔１０６よりも端末前方側に切欠き部１１３が形成されているからである。
【産業上の利用可能性】
【００４６】
本発明は、筐体前面に表示部を有し且つ筐体側面にスピーカ音孔を有し、表示部に表示されている画像を見ながらスピーカ音孔から放射される音を聞くような使い方をする携帯電話端末装置などの携帯端末装置に適用すると好適である。【００４７】
この出願は、２００６年８月３日に出願された日本出願特願２００６−２１１６６６を基礎とする優先権を主張し、その開示の全てをここに取り込む。
【図面の簡単な説明】
【００４８】
【図１】従来の携帯電話端末装置の構成例を示す正面図、側面図、背面図である。
【図２】従来の携帯電話端末装置のスピーカ音孔１０６近傍の断面形状を示す断面図である。
【図３】従来の携帯電話端末装置の音圧指向性特性のシミュレーション結果を示す図である。
【図４】本発明にかかる携帯電話端末装置の第１の実施の形態の構成例を示す正面図、側面図、背面図である。
【図５】第１の実施の形態にかかる携帯電話端末装置のスピーカ音孔１０６近傍の断面形状を示す断面図である。
【図６】第１の実施の形態にかかる携帯電話端末装置の音圧指向性特性のシミュレーション結果を示す図である。
【図７】第２の実施の形態にかかる携帯電話端末装置のスピーカ音孔１０６近傍の断面形状を示す断面図である。
【図８】第２の実施の形態にかかる携帯電話端末装置の音圧指向性特性のシミュレーション結果を示す図である。
【図９】第３の実施の形態にかかる携帯電話端末装置の音孔１０６近傍の断面形状を示す断面図である。
【符号の説明】
【００４９】
１    筐体
１０１    受話部
１０２    主表示部
１０３、１０４    スピーカ
１０５〜１０７    スピーカ音孔
１０８    副表示部
１０９、１０９ａ、１１０    凸部
１１１    傾斜部分
１１２    傾斜部
１１３    切欠き部
２    筐体
２１    キー操作部
２２    送話部
３    ヒンジ部
【図１】
0005200934.tif 000002
【図２】
0005200934.tif 000003
【図３】
0005200934.tif 000004
【図４】
0005200934.tif 000005
【図５】
0005200934.tif 000006
【図６】
0005200934.tif 000007
【図７】
0005200934.tif 000008
【図８】
0005200934.tif 000009
【図９】
0005200934.tif 000010